(57)【要約】【課題】隣接する座席に振動が伝わるのを防止しうるようにして、互いに隣接する座席との間の隙間を簡単に閉塞しうるようにした椅子を提供する。【解決手段】座８と背凭れ９とからなる複数の座席２を、左右方向に離間させて共通の脚体１に支持してなる椅子において、互いに隣接する座席２におけるいずれか一方の座８を、側端面が他方の座席２の座８の側端面と近接または当接するように、他方の座８側に向かって側方に延出し、この延出部を、互いに隣接する座８，８間に形成される隙間を塞ぐカバー部１３とする。【選択図】図１
2014076175.tif 000002
【特許請求の範囲】
【請求項１】
座と背凭れとからなる複数の座席を、左右方向に離間させて共通の脚体に支持してなる椅子において、
互いに隣接する座席におけるいずれか一方の座を、側端面が他方の座席の座の側端面と近接または当接するように、他方の座側に向かって側方に延出し、この延出部を、互いに隣接する座間に形成される隙間を塞ぐ前後方向のカバー部としたことを特徴とする椅子。
【請求項２】
互いに隣接する座席におけるいずれか一方の背凭れも、側端面が他方の座席の背凭れの側端面と近接または当接するように、他方の背凭れ側に向かって延出し、この延出部を、互いに隣接する背凭れ間に形成される隙間を塞ぐ上下方向のカバー部としたことを特徴とする請求項１に記載の椅子。
【請求項３】
座と背凭れとを一体的に形成し、上下方向のカバー部を前後方向のカバー部に連続させたことを特徴とする請求項２に記載の椅子。
【請求項４】
座と背凭れを、一体的に形成された座板と背板との表面に、クッション材を設けたものとし、前記座板及び背板のみを側方に延出させることによりカバー部としたことを特徴とする請求項１ないし３のいずれかに記載の椅子。
【発明の詳細な説明】
【技術分野】
【０００１】
本発明は、例えば病院の待合室やホテルのロビー、空港等の公共施設のオープンスペースに設置され、座と背凭れとからなる複数の座席が共通の脚体により支持された椅子に関する。
【背景技術】
【０００２】
上記のように、複数の座席が共通の脚体により支持された椅子としては、例えば特許文献１及び２に記載されているように、複数の座席を一体に連続して配置したものや、特許文献３及び４に記載されているように、互いに隣接する複数の座席を離間させて配置したものがある。
【先行技術文献】
【特許文献】
【０００３】
【特許文献１】登録実用新案第３０３７９１７号公報（第９頁、図１）
【特許文献２】特開２０１１−８３５２６号公報（第４頁、図１）
【特許文献３】特開２００１−１６１４９６号公報（第３頁、図１）
【特許文献４】特開２００９−７７７６４号公報（第３頁、図１、図２）
【発明の概要】
【発明が解決しようとする課題】
【０００４】
しかしながら、特許文献１及び２に記載されている椅子のように、複数の座席を一体に連続して配置すると、一人一人が使用する座席の境界が分かりにくくなるので、座席の数だけ着座することができなくなることがある。
【０００５】
一方、特許文献３及び４に記載されている椅子は、互いに隣接する座席を離間させているので、上記のような問題が生じることはない。しかし、特許文献３に記載の椅子は、互いに隣接する座席間に隙間が形成されているので、この隙間より物を落としたり、子供の手や足が隙間に入り込んで、思わぬ怪我をする虞がある。このような問題が発生するのを防止するために、特許文献４に記載の椅子においては、互いに隣接する座席間の隙間を、スペーサにより塞いでいる。しかし、このスペーサは、椅子とは別体のものであり、しかもスペーサを、互いに隣接する座の対向部を支持するブラケットに、ねじにより固定しているので、その取付けに手間がかかるとともに、部品点数が増えてコスト高にもなる。また着座時の振動が、スペーサを介して隣接する座席に伝わる虞がある。
【０００６】
本発明は、このような課題に着目してなされたもので、隣接する座席に振動が伝わるのを防止しうるようにして、互いに隣接する座席との間の隙間を簡単に閉塞しうるようにした椅子を提供することを目的としている。
【課題を解決するための手段】
【０００７】
上記課題を解決するために、本発明の椅子は、
座と背凭れとからなる複数の座席を、左右方向に離間させて共通の脚体に支持してなる椅子において、
互いに隣接する座席におけるいずれか一方の座を、側端面が他方の座席の座の側端面と近接または当接するように、他方の座側に向かって側方に延出し、この延出部を、互いに隣接する座間に形成される隙間を塞ぐ前後方向のカバー部としたことを特徴としている。
この特徴によれば、互いに隣接する座席におけるいずれか一方の座を、他方の座席の座側に延出させるだけで、互いに隣接する座間の隙間を簡単に閉塞することができる。従って、別体のカバーを製作して、これを脚体や座席に取り付ける必要がなく、部品点数や取付工数が削減されることにより、コスト低減が図れる。また、カバー部は、互いに隣接する他方の座に連結されていないので、着座時の振動が、カバー部を介して他方の座席に伝わることを抑止できる。
【０００８】
本発明の椅子は、
互いに隣接する座席におけるいずれか一方の背凭れも、側端面が他方の座席の背凭れの側端面と近接または当接するように、他方の背凭れ側に向かって延出し、この延出部を、互いに隣接する背凭れ間に形成される隙間を塞ぐ上下方向のカバー部としたことを特徴としている。
この特徴によれば、互いに隣接する座席における背凭れ間の隙間も、背凭れより延出させた上下方向のカバー部により簡単に閉塞することができる。また、背凭れ間の隙間も閉塞すると、前後方向に並べて配置された椅子の後方から、前方の椅子の着座者が見えなくなるので、プライバシー上好ましい椅子となる。
【０００９】
本発明の椅子は、
座と背凭れとを一体的に形成し、上下方向のカバー部を前後方向のカバー部に連続させたことを特徴としている。
この特徴によれば、互いに隣接する座間の隙間から背凭れ間の隙間まで、前後方向のカバー部と上下方向のカバー部とにより、連続的に体裁よく、かつ強固に塞ぐことができる。また、前後方向のカバー部と上下方向のカバー部とを連続させると、それらの曲げ剛性が大となるので、前後方向のカバー部と上下方向のカバー部とを利用して、これらに、例えば肘掛けや、カップまたはステッキホルダ等のオプション部材を安定よく取り付けることができる。さらに、これらカバー部の幅方向の領域を拡げることで、これらカバー部に取り付けられる肘掛けやカップまたはステッキホルダ等のオプション部材の接触面積を大きく採ることができるため、カバー部に対しオプション部材を確実に固定することができる。
【００１０】
本発明の椅子は、
座と背凭れを、一体的に形成された座板と背板との表面に、クッション材を設けたものとし、前記座板及び背板のみを側方に延出させることによりカバー部としたことを特徴としている。
この特徴によれば、座板及び背板のみを延出させているので、クッション材を目安として、一人一人が使用する座席の境界を容易に見分けることができる。
【図面の簡単な説明】
【００１１】
【図１】本発明の実施例１に係る椅子の斜視図である。
【図２】同じく、正面図である。
【図３】同じく、平面図である。
【図４】図３のＩＶ−ＩＶ線に沿う拡大縦断正面図である。
【図５】図２のＶ−Ｖ線に沿う拡大縦断側面図である。
【図６】（ａ）は、本発明の第１の変形例に係るカバー部にオプション部材を取り付けた状態の斜視図であり、（ｂ）は、本発明の第２の変形例に係るカバー部にオプション部材を設けた座席を組み付ける状態の斜視図である。
【図７】本発明の実施例２に係る椅子の斜視図である。
【発明を実施するための形態】
【００１２】
本発明の実施形態を、以下の実施例に基づいて説明する。
【実施例１】
【００１３】
実施例１に係る椅子につき、図１から図５を参照して説明する。本発明の実施例１に係る椅子は、正面視で左右方向を向く共通の脚体１に、左右複数(実施例では２個)の座席２，２’を、左右方向に離間させて支持したものよりなっている。
【００１４】
脚体１は、前後方向に側面視山形状に拡開する前後１対の脚杆３ａ，３ａを各々が有する左右１対の支持脚３，３と、左右両支持脚３の上端部の凹溝４に左右両端部が上方より嵌合され、図示しないねじにより固定された角管状のビーム５とを備えている。左右の支持脚３，３の上端には、側面視前向きＬ字状をなす支持ブラケット６，６の中央部が、ビーム５の上半部を跨ぐようにして図示しないねじにより固定されている。また、ビーム５の左右方向の中央部にも、上記と同形の左右２個の支持ブラケット６，６が、下部の固定部材７，７とにより、ビーム５を上下から挟み込むようにして、ねじにより固定されている。
【００１５】
左右の座席２，２’は、それぞれ、座８と背凭れ９とからなり、この座８と背凭れ９は、互いに一体的に形成された座板１０，１０’及び背板１１，１１’と、それらの上面と前面に取り付けられたクッション材１２，１２とからなっている。互いに隣接する座席２，２’のいずれか一方、すなわち本実施例では正面視で左側の座席２における座板１０と背板１１は、クッション材１２を残して、右側の座席２’における座板１０’と背板１１’の左側端と対向する方向に外側方に延出させてある(図４参照)。これにより、左右の座席２，２’は、左右非対称とされている。この延出部は、両座席２，２’を、後述するように、左右方向に離間させて脚体１に取り付けたとき、互いに隣接する座席２，２’間に形成される隙間を塞ぐ前後方向のカバー部１３と、その後端に連続する上下方向のカバー部１４となっている(図５参照)。
【００１６】
座板１０，１０’の両側端部の下面と、背板１１，１１’の両側端部の後面下部とを、側端部の支持ブラケット６と中央部の支持ブラケット６とにより支持し、図示しないねじにより固定することにより、左右の座席２，２’は、左右の支持ブラケット６を介して、互いに左右方向に離間するように、脚体１により支持されている。この際、上記左側の座席２における座板１０と背板１１より延出する前後方向のカバー部１３と、上下方向のカバー部１４との側端面が、右側の座席２’における座板１０’と背板１１’の側端面と近接または当接するように、左右の座席２，２’を脚体１に取り付けることにより、互いに隣接する座席２，２’間に形成される隙間が閉塞される。従って、隙間より物を落下したり、子供の手や足が隙間に入り込んだりするのを防止することができる。
【００１７】
以上説明したように、この実施例１の椅子においては、左側の座席２における座板１０と背板１１を、右側の座席２’における座板１０’と背板１１’の左側端と近接または当接するように外側方に延出させ、この延出部を、互いに隣接する座席２間に形成される隙間を閉塞する前後方向のカバー部１３と上下方向のカバー部１４としてあるので、別体のカバーを製作して、これを脚体１や座席２に取り付ける必要がなく、部品点数や取付工数が削減されることにより、コスト低減が図れる。また、カバー部１３，１４は、右側の座席２には連結されていないので、着座時の振動が、カバー部１３，１４を介して互いに隣接する座席２に伝わることを抑止できる。
【００１８】
また、互いに隣接する座席２，２’における背凭れ９，９間の隙間も、背凭れ９の背板１１より延出させた上下方向のカバー部１４により簡単に閉塞することができる。また、背凭れ９，９間の隙間も閉塞すると、前後方向に並べて配置された椅子の後方から、前方の椅子の着座者が見えなくなるので、プライバシー上好ましい椅子となる。
【００１９】
さらに、クッション材１２を残して、座板１０及び背板１１のみを延出させているので、クッション材１２を目安として、一人一人が使用する座席２の境界を容易に見分けることができる。
【００２０】
一体的に形成された座板１０と背板１１とを側方に延出させて、前後方向のカバー部１３と上下方向のカバー部１４とを連続させているので、座８用と背凭れ９用の二つのカバーは必要はなく、また座８間の隙間から背凭れ９間の隙間まで、連続的に外観体裁よく、かつ強固に塞ぐことができる。
【００２１】
また、前後方向のカバー部１３と上下方向のカバー部１４とを連続させると、それらの曲げ剛性が大となるので、例えば本発明の第１の変形例として図６（ａ）に示すように、前後方向のカバー部１３と上下方向のカバー部１４とを利用して、これらに、例えば肘掛け１５や、カップまたはステッキ用のホルダ１６等のオプション部材を安定よく取り付けることもできる。さらに、これらカバー部１３，１４の幅方向の領域を拡げることで、これらカバー部１３，１４に取り付けられる肘掛け１５やカップまたはステッキホルダ１６等のオプション部材の接触面積を大きく採ることができるため、カバー部１３，１４に対しオプション部材を確実に固定することができる。尚、図６（ａ）では、オプション部材である略Ｌ字状の肘掛け１５の各端部が、前後方向のカバー部１３及び上下方向のカバー部１４のそれぞれに対し、図示しないボルト等の接合部材により接合されており、すなわち肘掛け１５が複数個所で接合されているため、例えば、隣接する座席の間に現れるビームに対し１箇所のみで接合されている従来のオプション部材に比べて、取り付けの安定性が格段に高い。
【００２２】
さらに例えば、本発明の第２の変形例として図６（ｂ）に示すように、右側の座席２’にオプション部材である肘掛け１５’を一体形成若しくは予め固定するとともに、左側の座席２の前後方向のカバー部１３’及び上下方向のカバー部１４’の適所に、略コ字状の切欠部１７，１８を形成し、これ等切欠部１７，１８を肘掛け１５’に嵌合させるようにして、両座席２，２’を組み付けるようにしてもよく、このようにすることで、オプション部材である肘掛け１５’を座席２’に対しさらに安定的に設けることができる。
【実施例２】
【００２３】
図７は、本発明の実施例２に係る椅子の斜視図を示すもので、この実施例では、左側の座席２’’の座８における座板１０のみを、右側の座席２’の座８における座板１０’の左側端と近接または当接するように、外側方に延出させ、この延出部を前後方向のカバー部１３としたものである。なお、本実施例２では、左側の座席２’’の背凭れ９における背板１１’は、右側の座席２’の背凭れ９における背板１１’と略同じ幅に形成されており、両背板１１’，１１’の間に、所定幅の間隙が形成されている。
【００２４】
この実施例２の椅子のように、左側の座席２’’の座８における座板１０のみを外側方に延出させ、この延出部を前後方向のカバー部１３としただけでも、互いに隣接する座８間に形成される隙間が、カバー部１３により塞がれるので、隙間より物を落下したり、子供の手や足が隙間に入り込んだりするのを防止することができる。また、上記実施例１と同様の効果を奏することができる。
【００２５】
本発明は、上記実施例に限定されるものではない。上記実施例においては、座席２における座８と背凭れ９を、座板１０及び背板１１の表面にクッション材１２を有するものとしたが、座８と背凭れ９とを、それぞれ座板１０及び背板１１のみとし、それらを一体的に形成したものとしてもよい。この際は、上記実施例と同様に、左側の座席２における座板１０と背板１１の両方または座板１０のみを、右側の座席２側に延出させればよい。このようにすると、一人一人が使用する座席２の境界が分かりにくくなることが考えられるが、互いに隣接する座席２の座板１０の上面に、座者の臀部が若干入り込む凹部等を形成すれば、そのような問題が生じる虞はない。
【００２６】
上記実施例の座席２は、座８と背凭れ９とを一体的に形成したものとしたが、それらを別体として脚体１に取り付けた椅子にも、本発明を適用することができる。この際には、座板１０と背板１１とを別々に延出させることになるが、それらの延出部の後端と下端とを当接させるようにすれば、外観体裁が損なわれることはない。
【００２７】
上記実施例の椅子は、左右２席の座席２を有するものとしたが、例えば３席以上の座席２を有する椅子にも適用しうることは勿論である。この場合、３席以上の椅子に適用される座席は、側端面が他方の座側に向かって側方に延出した複数の座席２，２，・・と、このような延出部を有さず端部に配置される１席の座席２’と、から構成される。
【符号の説明】
【００２８】
１                脚体
２，２’，２’’    座席
３                支持脚
３ａ              脚杆
４                凹溝
５                ビーム
６                支持ブラケット
７                固定部材
８                座
９                背凭れ
１０，１０’      座板
１１，１１’      背板
１２              クッション材
１３，１３’      前後方向のカバー部
１４，１４’      上下方向のカバー部
１５，１５’      肘掛け
１６              ホルダ
１７，１８        切欠部
【図１】
2014076175.tif 000003
【図２】
2014076175.tif 000004
【図３】
2014076175.tif 000005
【図４】
2014076175.tif 000006
【図５】
2014076175.tif 000007
【図６】
2014076175.tif 000008
【図７】
2014076175.tif 000009